(57)【要約】【課題】フェンダブラケットを下側ブラケットと該下側ブラケットよりも低い剛性の上側ブラケットとから構成し、歩行者保護を確保し、フェンダブラケットの位置精度及び組付け作業性を向上させる。【解決手段】車体部品４にフェンダブラケット５を固定し、フェンダブラケット５にフェンダパネル３を取付けた車両前部構造において、フェンダブラケット５は、下部が車体部品４に固定される下側ブラケット６と、上部にフェンダパネル３が固定される上側ブラケット７とから構成され、下側ブラケット６は、上下及び前後方向に延び、幅方向に向かう前後方向面部６１と、上下及び幅方向に延び、前後方向に向かう幅方向面部６２と、前後方向面部６１及び幅方向面部６２の上端からそれぞれ連続して幅方向及び前後方向に延びる頂面部６３を有し、上側ブラケット７は、下側ブラケット６よりも低い剛性で構成され、上側ブラケット７の下部７１は、下側ブラケット６の頂面部６３に固定されている。【選択図】図３
2020183155.tif 000002
【特許請求の範囲】
【請求項１】
車両前部の車体部品にフェンダブラケットを固定し、該フェンダブラケットにフェンダパネルを取付けている車両前部構造において、
前記フェンダブラケットは、下部が前記車体部品に固定される下側ブラケットと、上部に前記フェンダパネルが固定される上側ブラケットとから構成され、
前記下側ブラケットは、車両上下方向及び車両前後方向に延び、かつ車両幅方向に向かって位置する前後方向面部と、車両上下方向及び車両幅方向に延び、かつ車両前後方向に向かって位置する幅方向面部と、前記前後方向面部の上端及び前記幅方向面部の上端からそれぞれ連続して車両幅方向及び車両前後方向に延びる頂面部とを有し、
前記上側ブラケットは、前記下側ブラケットよりも低い剛性で構成され、前記上側ブラケットの下部は、前記下側ブラケットの前記頂面部に固定されていることを特徴とする車両前部構造。
【請求項２】
前記上側ブラケットは、車両上下方向中間部が車両幅方向を向く面を有する板状に形成されており、前記下部固定部から車両上方に延びる第１縦壁部と、該第１縦壁部の上端から車両内側へ向かって車両上方に延びる第１傾斜壁部と、該第１傾斜壁部の上端から車両上方に延びる第２縦壁部を有していることを特徴とする請求項１に記載  の車両前部構造。
【請求項３】
前記第２縦壁部は、傾斜面状に形成されていることを特徴とする請求項２に記載の車両前部構造。
【請求項４】
前記上側ブラケットは、車両前方側の前部にヘッドランプ固定部を有し、該ヘッドランプ固定部の下方には、前記第１傾斜壁部と前記第２縦壁部とを跨ぐように配置された脆弱部が設けられていることを特徴とする請求項２または３に記載の車両前部構造。
【請求項５】
前記下部固定部は、前方側下部固定部と後方側下部固定部を有し、これら前方側下部固定部と後方側下部固定部とは、異なる高さ位置の平面上に固定されていることを特徴とする請求項１〜４のいずれか１項に記載の車両前部構造。
【請求項６】
前記前方側下部固定部の接合強度は、前記後方側下部固定部の接合強度よりも大きく設定されていることを特徴とする請求項１〜５のいずれか１項に記載の車両前部構造。
【請求項７】
前記前方側下部固定部と前記後方側下部固定部とは、車両側方視で互いに平行な面を有する形状に形成されている一方、前記フェンダブラケットと重なる前記車体部品の部分は、車両前方側よりも車両後方側が高くなる傾斜面形状に形成されていることを特徴とする請求項１〜６のいずれか１項に記載の車両前部構造。
【請求項８】
前記上側ブラケットの車両上下方向中間部であって、車両前後方向中央部の上部には、フードクッションステイが固定されているとともに、前記上側ブラケットの車両上下方向中間部の前後部には、前記フードクッションステイを挟んで開口部が設けられていることを特徴とする請求項１〜７のいずれか１項に記載の車両前部構造。
【請求項９】
前記上側ブラケットの下部固定部は、車両上面視で、前記前後方向面部と車両幅方向で重なる位置に設けられているとともに、前記幅方向面部と車両前後方向で重なる位置に設けられていることを特徴とする請求項１〜８のいずれか１項に記載の車両前部構造。
【発明の詳細な説明】
【技術分野】
【０００１】
本発明は、車両前部構造に関する。
【背景技術】
【０００２】
従来の車両前部構造として、車両前部の車体部品（カウルサイド部材）にフェンダブラケットを固定し、該フェンダブラケットにフェンダパネルを取付けるようにしたものがある（例えば、特許文献１参照）。この車両前部構造におけるフェンダブラケットは、頂辺部、前縦辺部及び後縦辺部と、これら前縦辺部及び後縦辺部などの中途部に屈曲部を形成したブラケット本体を有しており、後縦辺部の下端部の後フランジを車体部品の上壁面に固定するとともに、前縦辺部の下端部の前フランジを車体部品の前壁面に固定することによって、衝撃吸収特性をコントロ一ルし易くするように構成されている。
【先行技術文献】
【特許文献】
【０００３】
【特許文献１】特開２０１４−１８９２６１号公報
【発明の概要】
【発明が解決しようとする課題】
【０００４】
しかしながら、上述した従来の車両前部構造においては、フェンダブラケットを車体部品に固定するために、後縦辺部の後フランジを車体部品の上壁面に固定し、かつ前縦辺部の前フランジを車体部品の前壁面に固定する必要があるので、車体部品に対してフェンダブラケットを車両前後方向、車両幅方向及び車両上下方向の全方向に移動させて位置調整することができないという問題を有していた。そのため、従来の車両前部構造では、フェンダブラケットの位置精度及び組付け作業性の向上を図ることが難しく、歩行者保護やフェンダパネルの見切り出しについても改善の余地があった。
【０００５】
本発明はこのような実状に鑑みてなされたものであって、その目的は、フェンダブラケットを下側ブラケットと該下側ブラケットよりも低い剛性の上側ブラケットとから構成し、車両上下方向、車両幅方向及び車両前後方向の全方向に位置調整可能に構成することにより、歩行者保護を確保し、フェンダブラケットの位置精度及び組付け作業性を向上させ、フェンダパネルの見切り出しを行って外観品質の向上を図ることが可能な車両前部構造を提供することにある。
【課題を解決するための手段】
【０００６】
上記従来技術の有する課題を解決するために、本発明は、車両前部の車体部品にフェンダブラケットを固定し、該フェンダブラケットにフェンダパネルを取付けている車両前部構造において、前記フェンダブラケットは、下部が前記車体部品に固定される下側ブラケットと、上部に前記フェンダパネルが固定される上側ブラケットとから構成され、前記下側ブラケットは、車両上下方向及び車両前後方向に延び、かっ車両幅方向に向かって位置する前後方向面部と、車両上下方向及び車両幅方向に延び、かっ車両前後方向に向かって位置する幅方向面部と、前記前後方向面部の上端及び前記幅方向面部の上端からそれぞれ連続して車両幅方向及び車両前後方向に延びる頂面部とを有し、前記上側ブラケットは、前記下側ブラケットよりも低い剛性で構成され、前記上側ブラケットの下部は、前記下側ブラケットの前記頂面部に固定されている。
【発明の効果】
【０００７】
上述の如く、本発明に係る車両前部構造は、車両前部の車体部品にフェンダブラケットを固定し、該フェンダブラケットにフェンダパネルを取付けた構造であり、前記フェンダブラケットは、下部が前記車体部品に固定される下側ブラケットと、上部に前記フェンダパネルが固定される上側ブラケットとから構成され、前記下側ブラケットは、車両上下方向及び車両前後方向に延び、かつ車両幅方向に向かって位置する前後方向面部と、車両上下方向及び車両幅方向に延び、かつ車両前後方向に向かって位置する幅方向面部と、前記前後方向面部の上端及び前記幅方向面部の上端からそれぞれ連続して車両幅方向及び車両前後方向に延びる頂面部とを有し、前記上側ブラケットは、前記下側ブラケットよりも低い剛性で構成され、前記上側ブラケットの下部は、前記下側ブラケットの前記頂面部に固定されている。
すなわち、本発明の車両前部構造においては、フェンダブラケットが下側ブラケットと該下側ブラケットよりも低い剛性の上側ブラケットとから構成され、フェンダブラケットが車体部品に対して車両上下方向、車両幅方向及び車両前後方向の全方向に位置調整可能に構成されているので、上側ブラケットを歩行者保護用必要クリアランス内に配置し、下側ブラケットを歩行者保護用必要クリアランス外に配置することにより、車両前部に対する歩行者の保護を確保することができる。しかも、本発明の車両前部構造では、フェンダブラケットの位置精度及び組付け作業性を向上させることが可能となるので、フェンダパネルの見切り出しを行うことができ、車両前部の外観品質を向上させることができる。
【図面の簡単な説明】
【０００８】
【図１】本発明の実施形態に係る構造を有する車両前部の左側を車体前方側の斜め上方から見た斜視図である。
【図２】本発明の実施形態に係る構造に適用されたフェンダブラケット及びその周辺部を車両内側から見た側面図である。
【図３】図２におけるフェンダブラケット及びその周辺部を車体前方側の斜め上方から見た斜視図である。
【図４】図２におけるＡ−Ａ線断面図である。
【図５】本発明の実施形態に係る構造に適用されたフェンダブラケットに固定されるヘッドランプと、フェンダブラケットを固定する車体部品を車両内側から見た側面図である。
【図６】図５におけるフェンダブラケット及びヘッドランプを車体内側の斜め上方から見た拡大斜視図である。
【図７】本発明の実施形態に係る構造に適用されたフードクッションステイの位置で車両前方から見た断面図である。
【発明を実施するための形態】
【０００９】
以下、本発明を図示の実施の形態に基づいて詳細に説明する。
図１〜図７は本発明の実施形態に係る車両前部構造を示すものである。なお、図において、矢印Ｆｒ方向は車両前方を示し、矢印Ｉ方向は車両内側を示し、矢印Ｕ方向は車両上方を示している。また、矢印Ｘ方向は車両幅方向を示し、矢印Ｙ方向は車両前後方向を示している。
【００１０】
図１及び図２に示すように、本発明の実施形態に係る構造の車両前部１は、当該車両前部１の上部に配置され、エンジンルーム（あるいはモ−タールーム）１０の上部を覆う前方開閉式のフロントフードを構成するフードパネル（フードアウタパネル２ａ及びフードインナパネル２ｂ）２と、該フードパネル２の車両幅方向外側で左右両側に配置されるフロントフェンダーのフェンダパネル３と、エンジンルーム（あるいはモータールーム）１０の内部で左右両側に配置される車体部品（例えば、ダッシュサイドフロントパネル）４と、該車体部品４に固定されるフェンダブラケット５を有しており、該フェンダブラケット５には、フェンダパネル３が取付けられている。
そのため、フェンダパネル３の車両内側には、取付片３１がＬ字状に折り曲げられて形成されており、該取付片３１は、フェンダブラケット５とほぼ対応する位置で車両内側へ向かって水平に延び、ボルト３２等でフェンダブラケット５に締付け固定されるようになっている。また、車体部品４は、車両前後方向に沿って延びており、上面４ａ、車両内側の側面４ｂ及び車両前方側の前面４ｃを有している。
【００１１】
本実施形態の車両前部構造におけるフェンダブラケット５は、図２〜図７に示すように、下部が車体部品４に固定される板金製の下側ブラケット６と、上部にフェンダパネル３が固定される板金製の上側ブラケット７とから構成されており、上側ブラケット７が下側ブラケット６の上部に重ねて配置される２階建て構造となっている。そして、上側ブラケット７は、フードパネル２のフードアウタパネル２ａから所定の距離にわたって車両下方（エンジンルーム１０の内部）へ離れる寸法に設定した歩行者保護用必要クリアランスＲ内に配置されている一方、下側ブラケット６は、当該歩行者保護用必要クリアランスＲ外に配置されており、上側ブラケット７は、下側ブラケット６よりも低い剛性で構成されている。
【００１２】
本実施形態の下側ブラケット６は、図２〜図７に示すように、車両上下方向及び車両前後方向に延び、かつ車両幅方向に向かって位置する前後方向面部６１と、車両上下方向及び車両幅方向に延び、かつ車両前後方向に向かって位置する幅方向面部６２と、前後方向面部６１の上端及び幅方向面部６２の上端からそれぞれ連続して車両幅方向及び車両前後方向に延びる頂面部６３とを有している。そして、下側ブラケット６は、前後方向面部６１の下部６１ａを車両下方へ延長して車体部品４の側面４ｂに重ね合わせて接合し、幅方向面部６２の下部６２ａを車両前方側へ折り曲げて車体部品４の上面４ａに重ね合わせて接合し、頂面部６３の後部から車両後方へ延びた接合片６４を車体部品４の上面４ａに重ね合わせて接合することによって、車体部品４の上部から起立した状態で設けられている。なお、前後方向面部６１は、少なくとも車両内側に形成されていれば良く、幅方向面部６２は、少なくとも車両前方側に形成されていれば良い。
一方、本実施形態の上側ブラケット７は、全体が断面略クランク形状を有しており、上側ブラケット７の下部７１は、下側ブラケット６の頂面部６３とほぼ平行に車両内側へ向かって延び、該頂面部６３の車両前後の箇所に固定されている。そして、上側ブラケット７の車両前方側の下部固定部７１ａは、車両上面視で、前後方向面部６１と車両幅方向で重なる位置に設けられているとともに、幅方向面部６２と車両前後方向で重なる位置に設けられている。
このような形状及び位置関係にある下側ブラケット６及び上側ブラケット７によって構成されたフェンダブラケット５は、歩行者保護が可能で、かつ、車体部品４に対して車両上下方向、車両幅方向及び車両前後方向の全方向に位置調整可能な構造となっている。
【００１３】
本実施形態の上側ブラケット７は、図３、図４、図６及び図７に示すように、車両上下方向中間部が車両幅方向を向く面を有する板状に形成されている。すなわち、上側ブラケット７は、下部固定部７１ａ，７１ｂを含む下部７１から車両上方に延びる第１縦壁部７２と、該第１縦壁部７２の上端から車両内側へ向かって車両上方に延びる第１傾斜壁部７３と、該第1傾斜壁部７３の上端から車両上方に延びる第２縦壁部７４を有しており、オーバーハング形状に形成されている。しかも、上側ブラケット７は、第２縦壁部７４の上端から車両外側へ向かって水平に延びる上部７５を有しており、該上部７５にフェンダパネル３の取付片３１を載せてボルト３２等を締付けることにより、フェンダパネル３が上側ブラケット７に固定されている。
これによって、フェンダブラケット５に対して車両上方から衝撃荷重が加わった場合に、上側ブラケット７の第１縦壁部７２及び第１傾斜壁部７３が折れ曲がりの起点となり、上側ブラケット７が折り畳まれるように変形して衝撃荷重を吸収し、歩行者保護が実現されるようになっている。
【００１４】
また、本実施形態の上側ブラケット７の第２縦壁部７４は、図４に示すように、上部が車両外側に位置するように傾斜した傾斜面状に形成されており、この傾斜面の傾斜角度θは、例えば、１０度〜１２度位に設定されている。このように、第２縦壁部７４を傾斜させる理由としては、第２縦壁部７４に傾斜角度θを付けることで上側ブラケット７の剛性が低下することになり、歩行者保護の実現が可能となるからである。なお、第２縦壁部７４の傾斜角度θが小さ過ぎると、上側ブラケット７の剛性を十分に落とすことができず、第２縦壁部７４の傾斜角度θが大き過ぎると、上側ブラケット７の剛性を必要以上に落としてしまうことになる。
【００１５】
さらに、本実施形態の上側ブラケット７の上部７５は、図５及び図６に示すように、車両前方側の前部にヘッドランプ固定部７５ａを有しており、ヘッドランプ固定部７５ａには、ステー部８１及び締結ボルト（スクリュ等の締結具でも良い）８２などによって、車両前方側に搭載されたヘッドランプ８の外側後部がフェンダパネル３の取付片３１を介して固定されている。すなわち、上側ブラケット７がヘッドランプ８の外側後部の固定に利用される構造となっている。そのため、ヘッドランプ８のステー部８１は、ヘッドランプ８の外側後部の上面から車両上方へ立ち上がり、フェンダパネル３の取付片３１の前部に重ねることが可能な長さ及び幅を有しながら車両後方へ向かって延びている。
また、ヘッドランプ固定部７５ａの下方には、図２、図３、図５及び図６に示すように、第１傾斜壁部７３と第２縦壁部７４とを跨ぐように配置された脆弱部７６が車両上下方向に沿って設けられている。脆弱部７６としては、開口部を設けたり、当該部分の板厚を他の部分の板厚よりも薄肉にしたりする方法で形成することが可能である。このような位置に脆弱部７６を設けることによって、上側ブラケット７の剛性が下側ブラケット６の剛性よりも低くなり、車両上方からの荷重入力時に、上側ブラケット７が変形し易く、入力荷重を効果的に吸収できるように構成されている。
【００１６】
一方、本実施形態の上側ブラケット７の下部固定部は、図２及び図５に示すように、前方側下部固定部７１ａと後方側下部固定部７１ｂを有しており、これら前方側下部固定部７１ａと後方側下部固定部７１ｂとは、異なる高さ位置の平面上に固定されている。そのため、下側ブラケット６の頂面部６３は、前側平面部６３ａが後側平面部６３ｂよりも低い位置に形成され、前側平面部６３ａと後側平面部６３ｂとの間に後上がりの傾斜面部６３ｃが形成されており、車両前方から車両後方へ向かって順に前側平面部６３ａ、傾斜面部６３ｃ及び後側平面部６３ｂが連続して配置されている。すなわち、前側平面部６３ａと後側平面部６３ｂとは、傾斜面部６３ｃを間に置いた分割面となっており、同一平面上に接合面が存在していない。しかも、上側ブラケット７の下部７１は、すべての面が下側ブラケット６の頂面部６３に接合されていない。
これによって、上側ブラケット７の上部７５の車両前方側のヘッドランプ固定部７５ａに重量部品であるヘッドランプ８が固定され、上部７５が車両前方に倒れようとする向きの荷重がヘッドランプ固定部７５ａに掛かっても、前側平面部６３ａと後側平面部６３ｂとが同一高さの平面に形成されていないため、当該荷重に対抗することが可能となり、上側ブラケット７が下側ブラケット６から剥がれ難く、剥離に対して有利な構造になっている。
【００１７】
また、本実施形態の上側ブラケット７においては、前方側下部固定部７１ａの接合強度が後方側下部固定部７１ｂの接合強度よりも大きく設定されている。例えば、本実施形態の車両前部構造では、図３に示すように、前方側下部固定部７１ａの溶接点Ｗの数が３点であり、後方側下部固定部７１ｂの溶接点Ｗの数が２点であり、前方側下部固定部７１ａの方が後方側下部固定部７１ｂよりも溶接点Ｗの数を多くして下側ブラケット６との接合強度を高めている。また、前方側下部固定部７１ａの面積は、後方側下部固定部７１ｂの面積よりも大きな寸法で形成されている。すなわち、本実施形態の車両前部構造においては、荷重などの負担が大きく掛かる前方側下部固定部７１ａの接合強度を大きくすることによって、車両前部１の安定化が図られている。
【００１８】
さらに、本実施形態の上側ブラケット７において、前方側下部固定部７１ａと後方側下部固定部７１ｂとは、図２及び図５に示すように、車両側方視で互いに平行な面を有する形状に形成されている。本実施形態の上側ブラケット７では、前方側下部固定部７１ａと後方側下部固定部７１ｂとが高さ位置の異なる水平面に形成されているが、同じ角度の傾斜面に形成されていても良い。そのため、上側ブラケット７は、前方側下部固定部７１ａ及び後方側下部固定部７１ｂを下側ブラケット６上において移動させることにより、車両前後方向と車両幅方向の位置調整を行い、所定の位置に設置して固定することが可能になっている。
一方、フェンダブラケット５の下側ブラケット６と重なる車体部品４の部分である上面４ａは、車両前方側よりも車両後方側が高くなる傾斜面形状に形成されている。そのため、下側ブラケット６は、前後方向面部６１、幅方向面部６２及び頂面部６３の接合片６４を車体部品４の傾斜面（上面４ａ）に沿って移動させることにより、車両上下方向の位置調整を行い、所定の位置に設置して固定することが可能になっている。
【００１９】
そして、本実施形態における上側ブラケット７の車両上下方向中間部の第２縦壁部７４であって、車両前後方向中央部の上部には、図３及び図５〜図７に示すように、フードクッションステイ９が固定されている。このフードクッションステイ９は、フードパネル２を構成するフードインナパネル２ｂの下面に固着され、フードパネル２の閉時の衝撃緩和などの機能を有するフードクッション２１を受ける逆L字形状の部品であり、第２縦壁部７４に固定される固定片９１と、フードクッション２１に当接する当接片９２とを有している。一方、上側ブラケット７の車両上下方向中間部の前後部には、フードクッションステイ９を挟んで開口部７６，７７が設けられている。前側開口部７６は、フードクッションステイ９の車両前方側に設けられ、既述の脆弱部として構成されたものである。また、後側開口部７７は、フードクッションステイ９の車両後方側に設けられ、追加の脆弱部として構成されたものであり、前側開口部７６よりも開口面積が小さく、脆弱性が大きくならないように形成されている。
これにより、フードクッションステイ９を固定する上側ブラケット７の第２縦壁部７４の上部部分は、通常時の上方からの荷重（手で押したり、荷物を押す等）では変形しないようにある程度の剛性が必要であるが、衝突時の歩行者からの荷重では変形する必要があるという条件を満たす構造となっている。すなわち、車両上方からの荷重入力時において、フードパネル２に掛かる荷重がフードクッションステイ９を介して上側ブラケット７に加わった場合に、上側ブラケット７が変形し易くなる。
【００２０】
このように、本発明の実施形態に係る車両前部構造は、車両前部１の車体部品４にフェンダブラケット５を固定し、フェンダブラケット５にフェンダパネル３を取付けている。このフェンダブラケット５は、下部が車体部品４に固定される下側ブラケット６と、上部にフェンダパネル３が固定される上側ブラケット７とから構成されている。そして、下側ブラケット６は、車両上下方向及び車両前後方向に延び、かつ車両幅方向に向かって位置する前後方向面部６１と、車両上下方向及び車両幅方向に延び、かつ車両前後方向に向かって位置する幅方向面部６２と、前後方向面部６１の上端及び幅方向面部６２の上端からそれぞれ連続して車両幅方向及び車両前後方向に延びる頂面部６３とを有している。また、上側ブラケット７は、下側ブラケット６よりも低い剛性で構成されている。さらに、上側ブラケット７の下部は、下側ブラケット６の頂面部６３に固定されている。
したがって、本発明の車両前部構造では、フェンダブラケット５が下側ブラケット６と該下側ブラケット６よりも低い剛性の上側ブラケット７とから構成され、上側ブラケット７と下側ブラケット６とが所定の位置で重ねた状態で固定される２階建て構造となっており、かつフェンダブラケット５が車体部品４に対して車両上下方向、車両幅方向及び車両前後方向の全方向に位置調整可能に構成されているので、上側ブラケット７を歩行者保護用必要クリアランスＲ内に配置し、下側ブラケット６を歩行者保護用必要クリアランスＲ外に配置することにより、車両前部１のフードパネル２に衝突する歩行者を保護することができる。しかも、本発明の車両前部構造では、フェンダブラケット５を構成する下側ブラケット６及び上側ブラケット７のどちら部品も直接移動させることが可能であり、フェンダブラケット５の位置精度及び組付け作業性を向上させることが可能となるので、フェンダパネル３の見切り出しを容易に行うことができ、車両前部１の外観品質を高めることができる。
【００２１】
また、本実施形態の車両前部構造において、上側ブラケット７は、車両上下方向中間部が車両幅方向を向く面を有する板状に形成されており、下部固定部７１ａ，７１ｂを含む下部７１から車両上方に延びる第１縦壁部７２と、第１縦壁部７２の上端から車両内側へ向かって車両上方に延びる第１傾斜壁部７３と、第１傾斜壁部７３の上端から車両上方に延びる第２縦壁部７４を有している。したがって、本実施形態の車両前部構造によれば、フェンダブラケット５に対して車両上方から衝撃荷重が加わった場合に、上側ブラケット７の第１縦壁部７２及び第１傾斜壁部７３が折れ曲がりの起点となるので、上側ブラケット７が確実に変形して衝撃荷重を吸収でき、歩行者保護を促進することができる。
【００２２】
さらに、本実施形態の車両前部構造において、第２縦壁部は、傾斜面状に形成されているので、上側ブラケット７の剛性を低下させることが可能となり、車両前部１への荷重入力時において、上側ブラケット７を確実かつ迅速に変形させることができる。
【００２３】
そして、本実施形態の車両前部構造において、上側ブラケット７は、車両前方側の前部にヘッドランプ固定部７５ａを有しており、ヘッドランプ固定部７５ａの下方には、第１傾斜壁部７３と第２縦壁部７４とを跨ぐように配置された脆弱部７６が設けられているので、上側ブラケット７の剛性を下側ブラケット６の剛性よりも確実に低くすることができる。したがって、本実施形態の車両前部構造によれば、車両前部１に対して車両上方から荷重が入力された時に、上側ブラケット７を確実に変形させ、上側ブラケット７による荷重吸収効果を高めることができる。
【００２４】
また、本実施形態の車両前部構造において、下部固定部は、前方側下部固定部７１ａと後方側下部固定部７１ｂを有しており、これら前方側下部固定部７１ａと後方側下部固定部７１ｂとは、異なる高さ位置の平面（頂面部６３の前側平面部６３ａと後側平面部６３ｂ）上に固定されているので、上側ブラケット７の上部７５の車両前方側のヘッドランプ固定部７５ａに重量部品であるヘッドランプ８が固定され、上部７５が車両前方に倒れようとする向きの荷重がヘッドランプ固定部７５ａに掛かる構造を有していても、車両前方に倒れようとする向きの当該荷重に対抗でき、同一平面上に接合面が設けられている場合と比べて、上側ブラケット７を下側ブラケット６から剥がれ難くすることができ、上側ブラケット７の荷重吸収性能を十分に発揮させることができる。
【００２５】
さらに、本実施形態の車両前部構造において、前方側下部固定部７１ａの接合強度は、後方側下部固定部７１ｂの接合強度よりも大きく設定されているので、荷重などの負担が大きく掛かる前方側下部固定部７１ａを下側ブラケット６に強固に接合でき、車両前部１を安定させることができる。
【００２６】
そして、本実施形態の車両前部構造において、前方側下部固定部７１ａと後方側下部固定部７１ｂとは、車両側方視で互いに平行な面を有する形状に形成されている一方、フェンダブラケット５と重なる車体部品４の部分は、車両前方側よりも車両後方側が高くなる傾斜面形状に形成されているので、上側ブラケット７の前方側下部固定部７１ａ及び後方側下部固定部７１ｂを下側ブラケット６上において移動させることにより、車両前後方向と車両幅方向の位置を調整して接合することができ、下側ブラケット６の前後方向面部６１、幅方向面部６２及び頂面部６３の接合片６４を車体部品４の傾斜面に沿って移動させることにより、車両上下方向の位置を調整して接合することができる。したがって、本実施形態の車両前部構造によれば、フェンダブラケット５の位置精度及び組付け作業性をより一層向上させることができる。
【００２７】
また、本実施形態の車両前部構造において、上側ブラケット７の車両上下方向中間部であって、車両前後方向中央部の上部には、フードクッションステイ９が固定されているとともに、上側ブラケット７の車両上下方向中間部の前後部には、フードクッションステイ９を挟んで開口部７６，７７が設けられている。したがって、本実施形態の車両前部構造によれば、フードクッションステイ９を固定する上側ブラケット７の第２縦壁部７４の上部部分は、通常時の上方からの荷重（手で押したり、荷物を押す等）では上側ブラケット７が変形しない程度の剛性を確保できる。一方、車両上方からの荷重入力時であって、フードパネル２に掛かる荷重がフードクッションステイ９を介して上側ブラケット７に加わった場合には、上側ブラケット７が変形し易くすることができる。
【００２８】
さらに、本実施形態の車両前部構造において、上側ブラケット７の下部固定部７１ａは、車両上面視で、前後方向面部６１と車両幅方向で重なる位置に設けられているとともに、幅方向面部６２と車両前後方向で重なる位置に設けられているので、エンジンルーム（あるいはモ−タールーム）１０内のレイアウトの都合により上側ブラケット７に対して下側ブラケット６のスペースが十分に取れない場合に対応することができる。また、前方側下部固定部７１ａの前端から上側ブラケット７の上部７５にかけて前端部にフランジを形成した場合には、部品としての剛性を確保することができる。さらに、図３及び図６に示すように、上側ブラケット７の前方側下部固定部７１ａに下側ブラケット６の頂面部６３からはみ出た箇所を形成し、当該箇所に孔Ｈを設けた場合には、該孔Ｈにクリップ等を取付けることにより、ハーネス類を固定することもできる。しかも、孔Ｈを２個設け、一方の孔を位置決め用の孔や治具（工作道具、工具）支持用の孔として使用することもできる。
【００２９】
以上、本発明の実施の形態につき述べたが、本発明は既述の実施の形態に限定されるものではなく、本発明の技術的思想に基づいて各種の変形及び変更が可能である。
【００３０】
例えば、既述の実施形態における下側ブラケット６は、前後方向面部６１が車両内側に形成され、幅方向面部６２が車両前方側に形成されているが、剛性を高めるなどの理由から、前後方向面部６１が車両外側にも形成され、幅方向面部６２が車両後方側にも形成されていても良い。
【符号の説明】
【００３１】
１  車両前部
２  フードパネル
３  フェンダパネル
４  車体部品
４ａ  上面
４ｂ  車両内側の側面
５  フェンダブラケット
６  下側ブラケット
７  上側ブラケット
８  ヘッドランプ
９  フードクッションステイ
３１  フェンダパネルの取付片
３２  ボルト
６１  前後方向面部
６１ａ  下部
６２  幅方向面部
６２ａ  下部
６３  頂面部
６３ａ  前側平面部
６３ｂ  後側平面部
６４  接合片
７１  上側ブラケットの下部
７１ａ  前方側下部固定部
７１ｂ  後方側下部固定部
７２  上側ブラケットの第１縦壁部
７３  上側ブラケットの第１傾斜壁部
７４  上側ブラケットの第２縦壁部
７５  上側ブラケットの上部
７５ａ  ヘッドランプ固定部
７６  脆弱部（前側開口部）
７７  後側開口部
８１  ヘッドランプのステー部
８２  締結ボルト
Ｗ  溶接点
【図１】
2020183155.tif 000003
【図２】
2020183155.tif 000004
【図３】
2020183155.tif 000005
【図４】
2020183155.tif 000006
【図５】
2020183155.tif 000007
【図６】
2020183155.tif 000008
【図７】
2020183155.tif 000009